Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
植物の生長を管理するプロセスであって、
複数の生育チャンバを与えることであって、前記生育チャンバのそれぞれが生育チャンバスタックを形成して、前記植物の各部に対して制御された生育環境を提供するよう構成されている、生育チャンバを与えるステップと
前記チャンバのうち第１チャンバで出発産物の生長を開始するステップと、
前記植物の第１部分の前記生長に影響を与えるように、前記チャンバのうちの第２チャンバを前記第１チャンバの上に設置するステップと、
前記植物の第２部分の生長に影響を与えるように、前記チャンバのうちの第３チャンバを前記第２チャンバの上に設置するステップ、
とを含む、プロセス。
【請求項２】
前記チャンバの少なくとも２つから産物を収穫することで前記植物から多様な大きさの産物を生産するステップであって、各チャンバ内の前記産物が略同時に異なる成熟度を有するステップをさらに含む、請求項１に記載のプロセス。
【請求項３】
前記第１チャンバ内の産物が所望の成熟度に達した場合に前記チャンバのうち前記第１チャンバ内の前記産物を収穫すること、及び前記第２チャンバ内の産物が所望の成熟度に達した場合に前記チャンバのうち前記第２チャンバ内の前記産物を収穫することで、前記植物の前記収穫を延長するステップをさらに含む、請求項１に記載のプロセス。
【請求項４】
前記第１チャンバ内の産物が所望の成熟度に達した場合に前記チャンバのうち前記第１チャンバ内の前記産物を収穫すること、及び前記植物の第３部分の生長に影響を与えるように、前記チャンバのうちの第４チャンバを前記第３チャンバの上に追加することで、前記植物の前記生産寿命を延長するステップをさらに含む、請求項１に記載のプロセス。
【請求項５】
前記生育チャンバスタック内の前記生育チャンバの１つ又は複数を移動させるための搬送機構を与えて、前記生育チャンバスタック内の前記生育チャンバのうち別のチャンバを取り外して収穫できるようにするステップをさらに含む、請求項１に記載のプロセス。
【請求項６】
前記植物の一部分を切断機構で切断するステップをさらに含む、請求項１に記載のプロセス。
【請求項７】
空中栽培技術を使って前記生育チャンバのそれぞれに養分を供給するステップをさらに含む、請求項１に記載のプロセス。
【請求項８】
エブ＆フロー技術を使って前記生育チャンバのそれぞれに養分を供給するステップをさらに含む、請求項１に記載のプロセス。
【請求項９】
前記生育チャンバのそれぞれに組み込まれた養分分配サブシステムを使って前記生育チャンバに養分を供給するステップをさらに含む、請求項１に記載のプロセス。
【請求項１０】
植物の生長を管理する生育システムであって、
生育チャンバのそれぞれが互いに相互接続して生育チャンバスタックを形成するよう構成されている複数の生育チャンバを備え、
前記生育チャンバのそれぞれが、前記生育チャンバが前記生育チャンバスタック内に置かれている場合に前記植物の各部を少なくとも部分的に囲い、前記植物の各部に対して制御された生育環境を提供するよう構成されており、
前記生育チャンバのそれぞれが、前記生育チャンバスタックから選択的に取り外しできるように構成されている、
生育システム。
【請求項１１】
前記生育チャンバのそれぞれが、前記生育チャンバが前記生育チャンバスタック内に置かれている場合に、前記植物の前記各部を収容するための凹部を内部に有する生育チャンバベースを含む、請求項１０に記載の生育システム。
【請求項１２】
前記生育チャンバのそれぞれが略円筒状の構造を含み、円錐頂点及び底面をお互いに相互接続するように構成されている、請求項１０に記載の生育システム。
【請求項１３】
前記生育チャンバのそれぞれが、前記生育チャンバが前記生育チャンバスタック内に設置されている場合に、前記生育チャンバが前記植物各部を収容できるようにするための蝶番付き床板パネルを備える、請求項１０に記載の生育システム。
【請求項１４】
前記チャンバスタック内の前記生育チャンバを支持するためのフレームをさらに備え、前記フレームが前記生育チャンバを移動可能に支持するための搬送機構を備える、請求項１０に記載の生育システム。
【請求項１５】
１つ又は複数の前記生育チャンバを選択的に持ち上げるための可搬式持ち上げ機構をさらに備える、請求項１０に記載の生育システム。
【請求項１６】
前記生育チャンバが、前記生育チャンバ内の前記植物各部を切断するための切断装置を受けるよう構成されている、請求項１０に記載の生育システム。
【請求項１７】
前記チャンバスタック内の１つ又は複数の前記チャンバへ養分を分配するための養分分配システムをさらに備える、請求項１０に記載の生育システム。
【請求項１８】
各生育チャンバが前記生育チャンバ内へ養分を分配するための一体型養分分配サブシステムを備え、前記養分分配サブシステムが、前記養分分配サブシステムを前記養分分配システムへ結合するための迅速接続式取付け部品を含む、請求項１７に記載の生育システム。
【請求項１９】
各生育チャンバが、前記生育チャンバ上に可撓性膜を密閉状態で保持するための生育チャンバカバー封止通路を有する生育チャンバベースをさらに含む、請求項１１に記載の生育システム。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
神経細胞で上方調節される２以上のマーカーの発現が増強されている哺乳類脳組織から細胞を単離することを含む、神経細胞集団を作出する方法において、
前記単離した細胞集団は神経細胞を含む、方法。
【請求項２】
神経細胞集団を作出する方法において、前記方法は、
多能性哺乳類幹細胞の集団を準備すること；および
対象とする神経細胞で上方調節される２以上のマーカーの発現を増強させた富化神経細胞の培養物を得る条件下で前記幹細胞を分化させること、
を含み、
富化細胞集団は神経細胞を含む、方法。
【請求項３】
神経細胞集団を作出する方法において、前記方法は、
哺乳類細胞を準備すること；および
対象とする神経細胞で上方調節される２以上のマーカーの発現を増強させた富化神経細胞の培養物を得る条件下で前記細胞をリプログラミングすること、
を含み、
富化細胞集団は神経細胞を含む、方法。
【請求項４】
前記細胞集団は、ＧＡＢＡ産生ニューロンを形成することができる神経細胞を含む、請求項１、２または３に記載の方法。
【請求項５】
前記細胞集団は、ＧＡＢＡを産生する神経細胞を含む、請求項１、２または３に記載の方法。
【請求項６】
前記神経細胞は、ｉｎ  ｖｉｔｒｏでＧＡＢＡを産生することができる、請求項４または５に記載の方法。
【請求項７】
前記神経細胞は、哺乳類神経系への移植後にＧＡＢＡを産生することができる、請求項４または５に記載の方法。
【請求項８】
前記多能性哺乳類幹細胞は、ヒト多能性幹細胞である、請求項２に記載の方法。
【請求項９】
前記富化集団の神経細胞はＡＤＡＭＴＳ５、ＡＲＸ、ＡＴＲＮＬ１、ＢＭＰ３、ＣＡＤＰＳ、ＣＡＬＢ２、ＣＤ２００、ＣＥＬＳＲ３、ＣＨＲＭ４、ＣＮＴＮＡＰ４、ＣＲＡＢＰ１、ＣＳＭＤ３、ＣＸＣＲ４、ＣＸＣＲ７、ＤＣＬＫ２、ＤＣＸ、ＤＬＸ１、ＤＬＸ２、ＤＬＸ５、ＤＬＸ６、ＤＬＸ６−ＡＳ１、ＤＳＣＡＭＬ１、ＥＬＡＶＬ２、ＥＬＦＮ１、ＥＮＳＧ０００００２６０３９１、ＥＰＨＡ５、ＥＲＢＢ４、ＥＴＳ１、ＦＡＭ５Ｂ、ＦＡＭ６５Ｂ、ＦＮＤＣ５、ＧＡＤ１、ＧＡＤ２、ＧＮＧ２、ＧＰＤ１、ＧＲＩＡ１、ＧＲＩＡ４、ＧＲＩＫ３、ＧＲＩＮ２Ｂ、ＨＭＰ１９、ＩＧＦ１、ＩＮＡ、ＫＡＬＲＮ、ＫＣＮＣ２、ＫＤＭ６Ｂ、ＫＩＦ２１Ｂ、Ｌ１ＣＡＭ、ＬＨＦＰＬ３、ＬＨＸ６、ＬＩＮＣ００３４０、ＬＩＮＣ００５９９、ＭＡＦ、ＭＡＦＢ、ＭＡＰＴ、ＭＥＦ２Ｃ、ＭＩＡＴ、ＮＣＡＭ１、ＮＫＸ２−１、ＮＭＮＡＴ２、ＮＰＡＳ１、ＮＲＣＡＭ、ＮＲＸＮ３、ＮＸＰＨ１、ＰＤＺＲＮ３、ＰＤＺＲＮ４、ＰＩＰ５Ｋ１Ｂ、ＰＬＳ３、ＰＬＸＮＡ４、ＰＮＯＣ、ＰＲＬＨＲ、ＰＴＰＲＢ、ＰＴＰＲＲ、ＲＡＩ２、ＲＯＢＯ１、ＲＯＢＯ２、ＲＰ１１−３８４Ｆ７．２、ＲＰＨ３Ａ、ＲＰ４−７９１Ｍ１３．３、ＲＵＮＸ１Ｔ１、ＳＣＧ３、ＳＣＲＴ１、ＳＣＲＴ２、ＳＩＡＨ３、ＳＬＣ３２Ａ１、ＳＬＣ６Ａ１、ＳＯＸ６、ＳＰ９、ＳＲＲＭ４、ＳＳＴ、ＳＴ８ＳＩＡ５、ＳＴＭＮ２、ＴＡＧＬＮ３、ＴＨＲＢ、ＴＩＡＭ１、ＴＭＥＭ２、ＴＴＣ９Ｂ、ＶＡＸ１、ＶＳＴＭ２ＡまたはＷＩ２−１８９６Ｏ１４．１のうち２以上を発現する、請求項１、２または３に記載の方法。
【請求項１０】
前記富化細胞の集団を、ＧＡＢＡを産生するニューロンへ分化させることをさらに含む、請求項１、２または３に記載の方法。
【請求項１１】
対象とする神経細胞を前記培養物から単離することをさらに含む、請求項２または３に記載の方法。
【請求項１２】
対象とする神経細胞は、細胞表面マーカーであるＡＴＲＮＬ１、ＣＤ２００、ＣＥＬＳＲ３、ＣＨＲＭ４、ＣＮＴＮＡＰ４、ＣＳＭＤ３、ＣＸＣＲ４、ＣＸＣＲ７、ＤＳＣＡＭＬ１、ＥＬＦＮ１、ＥＰＨＡ５、ＥＲＢＢ４、ＦＡＭ５Ｂ、ＦＡＭ６５Ｂ、ＦＮＤＣ５、ＧＲＩＡ１、ＧＲＩＡ４、ＧＲＩＫ３、ＧＲＩＮ２Ｂ、ＫＣＮＣ２、Ｌ１ＣＡＭ、ＬＨＦＰＬ３、ＮＣＡＭ１、ＮＲＣＡＭ、ＮＲＸＮ３、ＮＸＰＨ１、ＰＬＸＮＡ４、ＰＲＬＨＲ、ＰＴＰＲＢ、ＰＴＰＲＲ、ＲＯＢＯ１、ＲＯＢＯ２、ＳＬＣ６Ａ１、またはＴＭＥＭ２を発現する、請求項１乃至９のいずれか一項に記載の方法。
【請求項１３】
前記神経細胞は、ＰＬＥＸＩＮＡ４を発現する、請求項１、２または３に記載の方法。
【請求項１４】
前記神経細胞は、ＣＸＣＲ４を発現する、請求項１、２または３に記載の方法。
【請求項１５】
前記神経細胞は、ＣＸＣＲ７を発現する、請求項１、２または３に記載の方法。
【請求項１６】
前記神経細胞は、ＥＲＢＢ４を発現する、請求項１、２または３に記載の方法。
【請求項１７】
前記細胞は、請求項１２乃至１６のいずれか一項に記載の細胞表面マーカへの結合剤を用いて単離される、請求項１１に記載の方法。
【請求項１８】
前記神経細胞を富化することは、対象とする神経細胞で上方調節される１以上のマーカーの発現が低い細胞の数を減らすことにより達成される、請求項１、２または３に記載の方法。
【請求項１９】
ＡＴＰ１Ａ２、ＢＣＡＮ、ＣＤ２７１、ＣＤ９８、ＣＮＴＦＲ、ＦＧＦＲ、ＦＧＦＲ１、ＦＧＦＲ２、ＦＧＦＲ３、ＧＪＡ１、ＭＬＣ１、ＮＯＴＣＨ１、ＮＯＴＣＨ３、ＰＤＧＦＲＢ、ＰＤＰＮ、ＰＬＸＮＡ４、ＰＲＯＭ１、ＰＴＰＲＺ１、ＳＬＣ１Ａ３、ＳＬＣ１Ａ５、ＴＭＥＭ１５８、またはＴＴＹＨ１の群からの細胞表面マーカーを発現する細胞の枯渇により前記神経細胞を富化する工程を含む、請求項１８に記載の方法。
【請求項２０】
前記富化された神経細胞または前記単離した神経細胞を凍結保存する工程をさらに含む、請求項１乃至１９のいずれか一項に記載の方法。
【請求項２１】
請求項１１乃至１７のいずれか一項に記載の単離した神経細胞。
【請求項２２】
請求項１乃至１０、１２乃至１６および１８乃至１９のいずれか一項に記載の富化された神経細胞。
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
生体細胞をエレクトロポレーションするためのシステムにおいて、
緩衝液中の複数の生体細胞のフローを受容するように適合され、検出領域を含むマイクロ流体チャネル；
前記検出領域を横切る電界を印加するように適合された一対の電極；
前記電極を介して細胞検出信号および透過信号を生成することができる信号生成部；
前記検出領域のインピーダンスを検出するとともに、前記細胞検出信号を用いて前記検出領域のインピーダンスを監視するように適合された検出部；および
前記検出部によって検出されたインピーダンスに従って前記信号生成部を制御するように適合された制御部
を含むことを特徴とする、システム。
【請求項２】
請求項１に記載のシステムにおいて、前記信号生成部が、前記細胞検出信号および前記透過信号を同時に生成することができることを特徴とする、システム。
【請求項３】
請求項１に記載のシステムにおいて、前記検出部が、ロックインアンプを含むことを特徴とする、システム。
【請求項４】
請求項３に記載のシステムにおいて、前記検出部が、前記検出領域内の細胞の蛍光を測定することができる撮像デバイスをさらに含むことを特徴とする、システム。
【請求項５】
請求項１に記載のシステムにおいて、前記マイクロ流体チャネルが、前記検出領域を介して複数の生物細胞のフローを流体力学的にセンタリングするように構成されていることを特徴とする、システム。
【請求項６】
請求項１に記載のシステムにおいて、前記システムが、緩衝液のフローを受容するように適合された第２のマイクロ流体チャネルをさらに含み、前記第２のマイクロ流体チャネルが第２の検出領域を含むことを特徴とする、システム。
【請求項７】
請求項６に記載のシステムにおいて、前記検出部が、前記第２の検出領域のインピーダンスを検出するように適合されることを特徴とする、システム。
【請求項８】
請求項１に記載のシステムにおいて、前記信号生成部が、送達信号を生成することができ、前記送達信号によって、前記システムが分子を細胞質内に送達するように構成されていることを特徴とする、システム。
【請求項９】
請求項１に記載のシステムにおいて、前記制御部が、前記検出部によって検出されたインピーダンスに従って前記透過信号を生成するように前記信号生成部を制御することを特徴とする、システム。
【請求項１０】
請求項８に記載のシステムにおいて、前記制御部が、前記透過信号の生成を停止し、前記検出部によって検出されたインピーダンスに従って前記送達信号を生成するように前記信号生成部を制御することを特徴とする、システム。
【請求項１１】
緩衝液中で生体細胞をエレクトロポレーションする方法において、
前記生体細胞を検出領域に流体力学的に集束させること；
第１の電気信号を生成すること；
ベースライン閾値を超える前記検出領域のインピーダンス値の増加が前記生体細胞の存在を示す、前記検出領域のインピーダンス値を、前記第１の電気信号を用いて監視すること；
前記検出領域のインピーダンスの増加に応答して、第２の電気信号を生成すること；
前記検出領域のインピーダンス値が透過閾値よりも大きいかどうかを判定すること；および
前記検出領域のインピーダンス値の判定に応答して、前記第２の電気信号の少なくとも１つのパラメータを調整すること、
を含むことを特徴とする、方法。
【請求項１２】
請求項１１に記載の方法において、
測定されたインピーダンス値が透過閾値に等しいという判定に応答して、前記第２の電気信号を停止すること；および
前記検出領域内に集束された前記細胞内への分子送達を引き起こす、第３の電気信号を生成すること、
をさらに含むことを特徴とする、方法。
【請求項１３】
請求項１２に記載の方法において、
前記検出領域のインピーダンス値が前記透過閾値に等しいかどうかを判定すること；
前記検出領域のインピーダンス値が前記透過閾値と等しいものでないという判定に応答して、前記第３の電気信号の少なくとも１つのパラメータを調整すること、
をさらに含むことを特徴とする、方法。
【請求項１４】
請求項１３に記載の方法において、前記検出領域のインピーダンス値が生存閾値以下である、またはベースライン閾値に等しいという判定に応答して、前記第３の電気信号を停止すること
をさらに含むことを特徴とする、方法。
【請求項１５】
請求項１４に記載の方法において、前記第３の電気信号が、前記検出領域のインピーダンス値が前記生存閾値以下であるという判定に応答して停止されることを特徴とする、方法。
【手続補正書】
【提出日】令和1年8月23日(2019.8.23)
【手続補正１】
【補正対象書類名】明細書
【補正対象項目名】０１７３
【補正方法】変更
【補正の内容】
【０１７３】
新たな媒体に類似のビール安定化及び濾過性能を提供することに加え、本開示の再生された媒体は、微粒子安定化及び濾過媒体のロバストな柔軟性(robust flexibility)を維持すると同時に、全て新たな媒体に対して、輸送コストを大幅に減少させ、購買コストを大幅に減少又は無くし、純度(可溶性不純物減少の点で)を高める。そのような属性は、製造業者及び醸造者に、潜在的に大幅な節約並びに醸造所にとってのカーボンフットプリントと単回使用媒体の埋立地への廃棄のための空間要件の両方の大幅な減少による環境面での利益を与える。これらの利益に加え、記載されるプロセス及び製品は、結晶性シリカのない新たな形態と再生された形態の両方で製造できるが、これは、これらの材料の採鉱、処理、輸送、ビール安定化及び清澄化、再生及び最終的には(複数回の使用後)廃棄又は代替用途における労働者の安全性にとって重要な利益である。再生された媒体の改善された抽出可能な化学物質は、粉末化された安定化(又は安定化及び濾過)媒体から液体に導入される不純物を大幅に減少させる。特定の実施態様のみが本明細書で述べられてきたが、代替実施態様及び種々の改良が、上記説明から当業者には明らかだろう。これら及び他の代替物は等価物であり、本開示の趣旨及び範囲内にあると考えられる。
本件出願は、以下の構成の発明を提供する。
（構成１）
発酵液体を処理するための無機製品であって、再生されたシリカ安定化媒体を含み、45%〜165%の再生効率又は45%〜165%の調整された再生効率を有する、前記無機製品。
（構成２）
前記再生されたシリカ安定化媒体の質量が、前記無機製品の総質量の少なくとも約10%である、構成１記載の無機製品。
（構成３）
前記再生されたシリカ安定化媒体の質量が、前記無機製品の総質量の少なくとも約25%である、構成１記載の無機製品。
（構成４）
前記再生されたシリカ安定化媒体の質量が、前記無機製品の総質量の少なくとも約50%である、構成１記載の無機製品。
（構成５）
前記再生されたシリカ安定化媒体の質量が、前記無機製品の総質量の少なくとも約90%である、構成１記載の無機製品。
（構成６）
前記再生されたシリカ安定化媒体の質量が、前記無機製品の質量の少なくとも約95%である、構成１記載の無機製品。
（構成７）
前記無機製品が、75%〜165%の再生効率又は75%〜165%の調整された再生効率を有する、構成１記載の無機製品。
（構成８）
再生された珪藻土、再生されたパーライト、又は再生されたもみ殻灰を含む再生された濾過媒体をさらに含む、構成１記載の無機製品。
（構成９）
前記発酵液体が未処理ビールであり、前記無機製品が、未処理ビールから、該未処理ビールの第2のビール濾液であって、温度及び濾過速度の同じ条件下で、該無機製品と同じ組成を有し同じ適用量で使用された新たな媒体により製造された第2のビール濾液の濁度の50〜200%を有する第1のビール濾液を製造するように適合されており、該第1及び第2のビール濾液の濁度が0℃の温度で測定される、構成８記載の無機製品。
（構成１０）
前記第1のビール濾液の製造の間の圧力上昇速度が、前記第2のビール濾液の製造の間の圧力上昇速度以下であり、該圧力上昇速度が、１分あたりのpsig又は１分あたりのミリバールで測定される、構成９記載の無機製品。
（構成１１）
1種以上の再生された濾過微粒子をさらに含み、
前記再生されたシリカ安定化媒体と該再生された濾過微粒子が密接に結合しており、
さらに、該再生された濾過微粒子と該再生されたシリカ安定化媒体が、安定化又は濾過プロセスにおける最初の使用の前の前記無機製品の元の製造プロセスの間に、密接に結合していた、構成１記載の無機製品。
（構成１２）
前記再生された濾過微粒子が、再生された珪藻土、再生されたパーライト、又は再生されたもみ殻灰である、構成１１記載の無機製品。
（構成１３）
前記無機製品が再生された安定化-濾過媒体である、構成１１記載の無機製品。
（構成１４）
前記再生された安定化-濾過媒体が、修飾珪藻土安定化-濾過媒体又はCelite Cynergyである、構成１３記載の無機製品。
（構成１５）
前記再生されたシリカ安定化媒体がシリカキセロゲルである、構成１記載の無機製品。
（構成１６）
前記再生されたシリカ安定化媒体が、水和キセロゲル、水和シリカゲル、又は含水シリカゲルである、構成１記載の無機製品。
（構成１７）
前記再生されたシリカ安定化媒体がシリカハイドロゲルである、構成１記載の無機製品。
（構成１８）
前記再生されたシリカ安定化媒体が沈降シリカである、構成１記載の無機製品。
（構成１９）
前記無機製品が、BET窒素吸収法による少なくとも約50m2/gの比表面積を有する、構成１又は８記載の無機製品。
（構成２０）
前記無機製品が、BET窒素吸収法による少なくとも約100m2/gの比表面積を有する、構成１又は８記載の無機製品。
（構成２１）
前記無機製品が、BET窒素吸収法による少なくとも約250m2/gの比表面積を有する、構成１又は８記載の無機製品。
（構成２２）
前記無機製品が約5重量%以下の強熱減量(LOI)を有する、構成１又は８記載の無機製品。
（構成２３）
前記無機製品が、EBC抽出方法により決定して約10ppm未満である可溶性ヒ素含量を有する、構成１又は８記載の無機製品。
（構成２４）
前記無機製品が、EBC抽出方法により決定して約0.1ppm〜約1ppmである可溶性ヒ素含量を有する、構成１又は８記載の無機製品。
（構成２５）
前記無機製品が、EBC抽出方法により決定して約120ppm未満である可溶性アルミニウム含量を有する、構成１又は８記載の無機製品。
（構成２６）
前記無機製品が、EBC抽出方法により決定して約80ppm未満である可溶性鉄含量を有する、構成１又は８記載の無機製品。
（構成２７）
前記無機製品が、LH法による、又はクリストバライトを二酸化ケイ素の非結晶相から区別する別の方法による約0.2%未満の結晶性シリカ含量を有する、構成１又は８記載の無機製品。
（構成２８）
前記無機製品が、APHA MEF法により測定して、培地1グラムあたり10コロニー形成単位未満の生酵母細胞数を有する、構成１又は８記載の無機製品。
（構成２９）
前記無機製品が、好気性プレートのUSFDA法により測定された、培地1グラムあたり10コロニー形成単位未満である細菌数を有する、構成１又は８記載の無機製品。
（構成３０）
前記無機製品が、APHA MEF法により測定して、培地1グラムあたり10コロニー形成単位未満であるカビ数を有する、構成１又は８記載の無機製品。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
Ｆｃ含有タンパク質の発現のための宿主細胞であって、カルボキシペプチダーゼＤ（ＣｐＤ）遺伝子不活性化を伴わない野生型ＣｐＤ遺伝子を含む宿主細胞と比較して、少なくとも６０％低減したＣｐＤ発現レベルを有する、前記宿主細胞。
【請求項２】
前記宿主細胞が、真核細胞である、請求項１に記載の宿主細胞。
【請求項３】
前記宿主細胞が、哺乳類細胞である、請求項２に記載の宿主細胞。
【請求項４】
前記宿主細胞が、チャイニーズハムスター卵巣（ＣＨＯ）細胞である、請求項３に記載の宿主細胞。
【請求項５】
前記Ｆｃ含有タンパク質が抗体である、請求項１に記載の宿主細胞。
【請求項６】
前記抗体がモノクローナル抗体である、請求項５に記載の宿主細胞。
【請求項７】
前記Ｆｃ含有タンパク質がＦｃ含有融合タンパク質である、請求項１に記載の宿主細胞。
【請求項８】
前記宿主細胞における前記ＣｐＤ遺伝子が不活性化される、請求項１〜７のいずれか１項に記載の宿主細胞。
【請求項９】
前記ＣｐＤ遺伝子が、ｓｉＲＮＡによって不活性化される、請求項８に記載の宿主細胞。
【請求項１０】
前記ＣｐＤ遺伝子が、ｓｈＲＮＡによって不活性化される、請求項８に記載の宿主細胞。
【請求項１１】
前記ＣｐＤ遺伝子が、遺伝子欠失によって不活性化される、請求項８に記載の宿主細胞。
【請求項１２】
前記ＣｐＤ遺伝子が、遺伝子付加または置換によって不活性化される、請求項８に記載の宿主細胞。
【請求項１３】
前記ＣｐＤ遺伝子が、クラスタ化された規則的に離間した短い回文配列リピート（ＣＲＩＳＰＲ）系を使用して不活性化される、請求項１１または１２に記載の宿主細胞。
【請求項１４】
前記ＣｐＤ遺伝子が、転写活性化因子様エフェクタヌクレアーゼ（ＴＡＬＥＮ）系を使用して不活性化される、請求項１１または１２に記載の宿主細胞。
【請求項１５】
前記ＣｐＤ遺伝子が、亜鉛フィンガヌクレアーゼ（ＺＦＮ）系を使用して不活性化される、請求項１１または１２に記載の宿主細胞。
【請求項１６】
前記ＣｐＤ遺伝子が、メガヌクレアーゼ系を使用して不活性化される、請求項１１または１２に記載の宿主細胞。
【請求項１７】
前記Ｆｃ含有タンパク質をコードする核酸を含む発現ベクターを含む、請求項１〜１６のいずれか１項に記載の宿主細胞。
【請求項１８】
請求項１〜１７のいずれか１項に記載の宿主細胞を含む、細胞培養系。
【請求項１９】
請求項１〜１７のいずれか１項に記載の宿主細胞の産生方法であって、前記宿主細胞における前記ＣｐＤ遺伝子を不活性化し、それにより、前記宿主細胞を産生することを含む、前記方法。
【請求項２０】
前記ＣｐＤ遺伝子が、ｓｉＲＮＡ系を使用して不活性化される、請求項１９に記載の方法。
【請求項２１】
前記ＣｐＤ遺伝子が、ｓｈＲＮＡ系を使用して不活性化される、請求項１９に記載の方法。
【請求項２２】
前記ＣｐＤ遺伝子が、遺伝子欠失によって不活性化される、請求項１９に記載の方法。
【請求項２３】
前記ＣｐＤ遺伝子が、遺伝子付加または置換によって不活性化される、請求項１９に記載の方法。
【請求項２４】
前記ＣｐＤ遺伝子が、ＣＲＩＳＰＲ系を使用して不活性化される、請求項２２または２３に記載の方法。
【請求項２５】
前記ＣｐＤ遺伝子が、ＴＡＬＥＮ系を使用して不活性化される、請求項２２または２３に記載の方法。
【請求項２６】
前記ＣｐＤ遺伝子が、ＺＦＮ系を使用して不活性化される、請求項２２または２３に記載の方法。
【請求項２７】
前記ＣｐＤ遺伝子が、メガヌクレアーゼ系を使用して不活性化される、請求項２２または２３に記載の方法。
【請求項２８】
Ｆｃ含有タンパク質の作製方法であって、
ａ）請求項１〜１７のいずれか１項に記載の宿主細胞を培養することと、
ｂ）前記宿主細胞によって発現された前記Ｆｃ含有タンパク質を得ることと、を含む、前記方法。
【請求項２９】
複数のＦｃ含有タンパク質を含む組成物であって、前記組成物における実質的に全てのＦｃ含有タンパク質が、各Ｆｃドメイン上にＣ末端リジンを有する、前記組成物。
【請求項３０】
前記組成物の実質的に全てのＦｃ含有タンパク質が、同じアミノ酸配列を有する、請求項２９に記載の組成物。
【請求項３１】
前記複数のＦｃ含有タンパク質が、荷電状態において実質的に均質である、請求項２９または３０に記載の組成物。
【請求項３２】
前記Ｆｃ含有タンパク質が、Ｆｃ含有融合タンパク質である、請求項２９〜３１のいずれか１項に記載の組成物。
【請求項３３】
前記Ｆｃ含有タンパク質が抗体である、請求項２９〜３１のいずれか１項に記載の組成物。
【請求項３４】
前記抗体がヒト抗体である、請求項３３に記載の組成物。
【請求項３５】
前記抗体がヒト化抗体である、請求項３３に記載の組成物。
【請求項３６】
前記抗体が２本の重鎖を含み、各重鎖がＣ末端リジンを含む、請求項３３〜３５のいずれか１項に記載の組成物。
【請求項３７】
前記Ｆｃ含有タンパク質が、薬物にコンジュゲートされる、請求項３２〜３６のいずれか１項に記載の組成物。
【請求項３８】
前記組成物における前記Ｆｃ含有タンパク質が、ＩｇＧ１  Ｆｃドメインを含む、請求項３２〜３７のいずれか１項に記載の組成物。
【請求項３９】
前記組成物における前記Ｆｃ含有タンパク質が、ＩｇＧ２  Ｆｃドメインを含む、請求項３２〜３７のいずれか１項に記載の組成物。
【請求項４０】
前記組成物における前記Ｆｃ含有タンパク質が、ＩｇＧ４  Ｆｃドメインを含む、請求項３２〜３７のいずれか１項に記載の組成物。
【請求項４１】
前記組成物が、薬学的組成物である、請求項２９〜４０のいずれか１項に記載の組成物。
【請求項４２】
前記薬学的組成物が、減菌された薬学的組成物である、請求項４１に記載の組成物。
【請求項４３】
前記組成物が、細胞培養培地である、請求項２９〜４０のいずれか１項に記載の組成物。
【請求項４４】
前記組成物が、細胞溶解液である、請求項２９〜４０のいずれか１項に記載の組成物。
【請求項４５】
前記組成物が、タンパク質精製カラムからの溶出物である、請求項２９〜４０のいずれか１項に記載の組成物。
【請求項４６】
治療を必要とする個体における疾患の治療のための医薬であって、請求項４１または４２に記載の組成物を含む、医薬。
【請求項４７】
前記組成物が、非経口投与される、請求項４６に記載の医薬。
【請求項４８】
前記組成物が、静脈内または皮下投与される、請求項４７に記載の医薬。
【請求項４９】
前記組成物が、局在投与される、請求項４６に記載の医薬。
【請求項５０】
前記組成物が、局所投与される、請求項４９に記載の医薬。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
１つ又は複数のアクティブ変異を含む、植物起源のＣＥＮＰＣタンパク質であって、
前記１つ又は複数のアクティブ変異が、好ましくは、配列番号２、３、４若しくは１５〜１９のいずれかのアミノ酸配列、又は配列番号２、３、４若しくは１５〜１９のいずれかのアミノ酸配列に対して少なくとも７０％、より好ましくは少なくとも８０％、さらにより好ましくは少なくとも９０％、なおさらにより好ましくは少なくとも９５％、最も好ましくは少なくとも９８％又は９９％の配列同一性を有するその変異体を含むタンパク質において引き起こされており、
好ましくは、前記１つ又は複数のアクティブ変異が、配列番号５又は６のいずれかに示されるアミノ酸配列により表される倍加半数体インデューサードメイン中に存在する、タンパク質。
【請求項２】
前記１つ又は複数のアクティブ変異が、配列番号３若しくは４のいずれかのアミノ酸配列における、５５２〜５５３位の間のアミノ酸残基の変異、５５４位のアミノ酸残基の変異、５５５位のアミノ酸残基の変異及び５５６位のアミノ酸残基の変異若しくはその任意の組合せからなる群から選択されるか；又は配列番号２のアミノ酸配列における、５５５〜５５６位の間のアミノ酸残基の変異、５５７位のアミノ酸残基の変異、５５８位のアミノ酸残基の変異及び５５９位のアミノ酸残基の変異若しくはその任意の組合せからなる群から選択される、請求項１に記載のＣＥＮＰＣタンパク質。
【請求項３】
配列番号３若しくは４のいずれかのアミノ酸配列の５５４位において、又は配列番号２のアミノ酸配列の５５７位において変異したアミノ酸が、アスパラギン酸であり、並びに／或いは配列番号３若しくは４のいずれかのアミノ酸配列の５５５位において、又は配列番号２のアミノ酸配列の５５８位において変化したアミノ酸が、アスパラギンであり、並びに／或いは配列番号３若しくは４のいずれかのアミノ酸配列の５５６位において又は配列番号２のアミノ酸配列の５５９位において変化したアミノ酸が、メチオニンである、請求項２に記載のＣＥＮＰＣタンパク質。
【請求項４】
配列番号３若しくは４のいずれかのアミノ酸配列の５５４位又は配列番号２のアミノ酸配列の５５７位のアミノ酸が、正電荷を有するアミノ酸残基、好ましくはリシンに変化しており、並びに／或いは配列番号３若しくは４のいずれかのアミノ酸配列の５５５位又は配列番号２のアミノ酸配列の５５８位のアミノ酸が、チロシンに変化しており、並びに／或いは配列番号３若しくは４のいずれかのアミノ酸配列の５５６位又は配列番号２のアミノ酸配列の５５７位のアミノ酸が、バリンに変化しており、並びに／或いは正電荷を有する残基、好ましくはヒスチジンが、配列番号３若しくは４のいずれかのアミノ酸配列のアミノ酸残基５５２〜５５３の間に又は配列番号２のアミノ酸配列のアミノ酸残基５５５〜５５６の間に挿入されている、請求項２又は３に記載のＣＥＮＰＣタンパク質。
【請求項５】
配列番号８又は配列番号１０のアミノ酸配列を含む、請求項４に記載のＣＥＮＰＣタンパク質。
【請求項６】
請求項１〜５のいずれか一項に記載のＣＥＮＰＣタンパク質をコードする、ポリヌクレオチド。
【請求項７】
配列番号７、９、１２及び１３からなる群から選択される核酸配列を含む、ポリヌクレオチド。
【請求項８】
請求項６又は７に記載のポリヌクレオチドを含む、キメラ遺伝子、ベクター、又は宿主細胞。
【請求項９】
請求項６若しくは７に記載のポリヌクレオチド、又は請求項８に記載のキメラ遺伝子若しくはベクターを含み、
好ましくは、内在性ＣＥＮＰＣタンパク質が発現されていない、植物、種子、又は植物細胞。
【請求項１０】
請求項９に記載の植物細胞又は植物を作製するための方法であって、
ａ）植物細胞内の内在性植物ＣＥＮＰＣタンパク質をコードするポリヌクレオチドを改変して、アクティブ変異を有する植物ＣＥＮＰＣタンパク質をコードするポリヌクレオチドを得るステップと；
ｂ）前記アクティブ変異を有する植物ＣＥＮＰＣタンパク質をコードするポリヌクレオチドを含む植物細胞を選択するステップと；
ｃ）任意選択で、前記植物細胞から植物を再生するステップと
を含む、方法。
【請求項１１】
請求項９に記載の植物細胞又は植物を作製するための方法であって：
ａ）請求項６若しくは７に記載のポリヌクレオチド、又は請求項８に記載のキメラ遺伝子若しくはベクターを使用して植物細胞を形質転換するステップと；
ｂ）前記ポリヌクレオチド、キメラ遺伝子又はベクターを含む植物細胞を選択するステップと；
ｃ）任意選択で、前記植物細胞から植物を再生するステップと
を含む、方法。
【請求項１２】
前記植物細胞を改変して、内在性ＣＥＮＰＣタンパク質の発現を防止するステップをさらに含む、請求項１０又は１１に記載の方法。
【請求項１３】
半数体植物、又は異常な倍数性を有する植物を生成する方法であって：
ａ）内在性植物ＣＥＮＰＣタンパク質を発現する植物を、請求項９に記載の植物に交配するステップであって、請求項９に記載の植物は、少なくともその生殖部分において及び／又は胚発生の間は内在性ＣＥＮＰＣタンパク質を発現しない、ステップと；
ｂ）種子を採取するステップと；
ｃ）前記種子から、少なくとも１つの実生、小植物又は植物を生育させるステップと；
ｄ）半数体の実生、小植物若しくは植物；異常な倍数性を有する実生、小植物若しくは植物；又は倍加半数体の実生、小植物若しくは植物を選択するステップと
を含む、方法。
【請求項１４】
倍加半数体植物を生成する方法であって、請求項１３のステップｄ）において得られた半数体植物を倍加半数体植物に転換するステップを含む、方法。
【請求項１５】
半数体インデューサー系統を生産するための、請求項６又は７に記載のポリヌクレオチドの使用。
【請求項１６】
半数体植物を生産するための、請求項９に記載の植物の使用であって、好ましくは、前記植物が半数体トマト植物を生産するためのトマト植物である、使用。
【請求項１７】
倍加半数体植物を生産するための、請求項９に記載の植物の使用であって、好ましくは、前記植物が倍加半数体トマト植物を生産するためのトマト植物である、使用。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
低密度リポタンパク質受容体関連タンパク質5（LRP5）に対する哺乳動物の遺伝子領域における少なくとも1つのCpG位置のメチル化状態を分析することを含み、分析される該遺伝子領域が、配列番号1による単位複製配列に位置しており、非B細胞と比較した場合の該遺伝子領域の脱メチル化がB細胞の指標となる、サンプルにおいてB細胞を同定する方法。
【請求項２】
前記少なくとも1つのCpG位置が、分析する前記遺伝子領域内の転写開始部位、プロモーター領域、5'又は3'非翻訳領域、エクソン、イントロン、エクソン／イントロン境界より上流の5'領域、及び／又は転写停止部位より下流の3'領域に存在する、請求項1に記載の方法。
【請求項３】
前記少なくとも1つのCpG位置が、配列番号1による単位複製配列におけるCpG位置1、2、3、4、5、6、7、8、9、10、11、12、13、14、15、16、17、18、19、20、21、22、23、及び24から選択されるCpGから選択され、又は、配列番号2若しくは配列番号3によるバイサルファイト変換される配列による単位複製配列2249番のフラグメントにおけるCpG位置3、4、5、6、7、8、9、10、11、12、13、14、15、16、及び17から選択される、請求項1又は2に記載の方法。
【請求項４】
バイサルファイト転換性の分析がメチル化特異性酵素消化、バイサルファイトシークエンシングから選択される方法、プロモーターメチル化、CpGアイランドメチル化、MSP、HeavyMethyl、MethyLight、Ms-SNuPEから選択される分析、及び増幅DNAの検出に基づく他の方法を含む、請求項1〜3のいずれか一項に記載の方法。
【請求項５】
B細胞の相対量を、分析する領域におけるメチル化頻度の相対量と、GAPDHによって例示される対照遺伝子におけるメチル化頻度の相対量との比較に基づいて定量することを更に含む、請求項1〜4のいずれか一項に記載の方法。
【請求項６】
前記サンプルがヒト血液サンプルを含む哺乳動物の体液、又は組織、器官若しくは細胞型の血液サンプル、血中リンパ球のサンプル若しくはその画分から選択される、請求項1〜5のいずれか一項に記載の方法。
【請求項７】
前記B細胞と、濾胞性ヘルパーT細胞、細胞傷害性T細胞、顆粒球、単球、NK細胞、及びヘルパーT細胞から選択される細胞型の全て又は少なくとも1つとを区別することを更に含む、請求項1〜6のいずれか一項に記載の方法。
【請求項８】
同定する前記細胞を、全血及び／又は非トリプシン処理組織を使用して精製及び／又は富化する工程なしに行われる、請求項1〜7のいずれか一項に記載の方法。
【請求項９】
同定される前記B細胞に基づいて前記哺乳動物の免疫状態を決定する工程を更に含む、請求項1〜8のいずれか一項に記載の方法。
【請求項１０】
請求項5〜9のいずれか一項に記載の方法を行うことと、さらに、同定された前記細胞の相対量を、同じ哺乳動物から先に又は並行して採取したサンプル及び／又は対照サンプルと比較することを含む、哺乳動物においてB細胞のレベルをモニタリングする方法。
【請求項１１】
前記哺乳動物に与える化学物質及び／又は生物学的物質に応じて前記B細胞の量を測定及び／又はモニタリングすることを更に含む、請求項1〜10のいずれか一項に記載の方法。
【請求項１２】
前記哺乳動物が自己免疫疾患、移植片拒絶反応、感染性疾患、癌及び／又はアレルギーを患っているか、又はそれらを患う可能性がある、請求項1〜11のいずれか一項に記載の方法。
【請求項１３】
哺乳動物においてB細胞を、LRP5の遺伝子領域のCpG位置のバイサルファイト接近性の分析に基づいて同定、定量及び／又はモニタリングするキットであって、請求項1〜12のいずれか一項に記載の方法の実行用の成分を含む、又はa）バイサルファイト試薬、及びb）配列番号1による領域のCpG位置から選択されるCpG位置のメチル化状態の分析用の材料、若しくは配列番号4〜配列番号11による配列から選択されるオリゴマーを含む、キット。
【請求項１４】
配列番号4〜配列番号11のいずれかによるオリゴマー、又は配列番号1、配列番号2又は配列番号3による単位複製配列。
【請求項１５】
哺乳動物においてB細胞の同定、定量及び／又はモニタリングをするための請求項13に記載のキット、又は請求項14に記載のオリゴマー若しくは単位複製配列を使用する方法。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
（１）サンプル中の少なくとも１つの細胞内のまたはそこからの少なくとも１つの核酸標的を、標的結合ドメインおよびシグナルオリゴヌクレオチドを含む少なくとも１つのプローブと接触させ；
（２）該シグナルオリゴヌクレオチドを放出するのに十分な力を該サンプルのある位置に加え；および
（３）放出されたシグナルオリゴヌクレオチドを回収および同定し、それによって、該力を加えたサンプル中の特定の位置のまたはそこからの少なくとも１つの核酸標的を検出すること、
を含む方法。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
バッテリを充電する方法であって、
電子デバイス上のバッテリ充電回路中で、外部電源から第１の電圧値を有する入力電圧を受け取ることと、
前記バッテリへの、第１の電流値を有する充電電流を生じさせるように前記バッテリ充電回路を構成することと、
前記バッテリ充電回路の電圧比および入力電流制限のうちの１つまたは複数をモニタすることと、
（ｉ）最大入力電流に達することで前記入力電流制限がアクティブ化されるか、または（ｉｉ）前記電圧比が最大電圧比に達するかのいずれかの場合に、前記第１の電圧値を少なくとも１つの第２の電圧値に増大させるための制御信号を生成することと、
前記電子デバイス内部の温度を示す信号を受信することと、
前記温度が第１のしきい値温度を上回って増大するときに、前記第２の電圧値を少なくとも１つの第３の電圧値に低下させるための制御信号を生成することと
を備える、方法。
【請求項２】
前記第１の電圧値を前記少なくとも１つの第２の電圧値に増大させるための制御信号を生成することは、所望される充電電流が取得されるまで、複数の電圧値にわたって前記入力電圧を連続して増大させるための制御信号を生成することを備える、請求項１に記載の方法。
【請求項３】
前記第２の電圧値を前記第３の電圧値に低下させるための制御信号を生成することは、前記温度が前記第１のしきい値温度を下回って低下するまで、複数の電圧値にわたって前記入力電圧を連続して低下させるための制御信号を生成することを備える、請求項１に記載の方法。
【請求項４】
前記第１の電圧値と前記第１の電流値とは、前記バッテリ充電回路の入力における第１の電力レベルに対応し、前記第１の電圧値を前記第２の電圧値に増大させることは、前記充電電流の第２の電流値への増大を生じさせ、前記第２の電圧値と前記第２の電流値とは、前記第１の電力レベルより大きい、前記バッテリ充電回路の前記入力における第２の電力レベルに対応する、請求項１に記載の方法。
【請求項５】
前記第２の電圧値を前記第３の電圧値に低下させることは、前記バッテリ充電回路の前記入力において前記第２の電力レベルより低い第３の電力レベルを生じさせる、請求項４に記載の方法。
【請求項６】
前記第３の電力レベルは、消費された電力における差異を除いて前記第２の電力レベルにほぼ等しい、請求項５に記載の方法。
【請求項７】
前記第２の電圧値を少なくとも１つの第３の電圧値に低下させるための制御信号を前記生成した後で、前記温度を前記第１のしきい値温度を下回って低下させるために、複数の入力電流制限値にわたって前記入力電流制限を低下させることをさらに備える、請求項１に記載の方法。
【請求項８】
前記第２の電圧値を少なくとも１つの第３の電圧値に低下させるための制御信号を前記生成する前に、前記温度を前記第１のしきい値温度を下回って低下させるために、複数の入力電流制限値にわたって前記入力電流制限を低下させることをさらに備える、請求項１に記載の方法。
【請求項９】
（ｉ）最大入力電流に達することで前記入力電流制限がアクティブ化されるか、または（ｉｉ）前記電圧比が最大電圧比に達するかのいずれかの場合に、前記第１の電圧値を少なくとも１つの第２の電圧値に増大させるための制御信号を前記生成することは、前記温度が前記第１のしきい値温度より低い第２のしきい値温度を上回って増大する場合には迂回される（bypassed）、請求項１に記載の方法。
【請求項１０】
前記温度が第２のしきい値温度を下回って低下するときに、前記第２の電圧値を増大させるための制御信号を生成することをさらに備える、請求項１に記載の方法。
【請求項１１】
前記温度が前記第１のしきい値温度より低い第２のしきい値温度を下回るときに、
定電圧モードを検出することと、
あらかじめ定義された時間期間待つことと、
前記入力電圧の現在値を低下させるための制御信号を生成することと
をさらに備える、請求項１に記載の方法。
【請求項１２】
前記外部電源は、前記電子デバイスからの制御信号に応答して複数の異なる電圧値を生じさせるように構成される、請求項１に記載の方法。
【請求項１３】
前記外部電源は、ＡＣウォールアダプタまたはユニバーサルシリアルバスインターフェースである、請求項１２に記載の方法。
【請求項１４】
前記複数の異なる電圧値は、１ボルト超過だけ、または１ボルト未満だけ異なる、請求項１３に記載の方法。
【請求項１５】
バッテリを充電するための電子デバイスであって、
前記電子デバイス上のバッテリ充電回路中で、外部電源から第１の電圧値を有する入力電圧を受け取るための手段と、
前記バッテリへの、第１の電流値を有する充電電流を生じさせるように前記バッテリ充電回路を構成するための手段と、
前記バッテリ充電回路の電圧比および入力電流制限のうちの１つまたは複数をモニタするための手段と、
（ｉ）最大入力電流に達することで前記入力電流制限がアクティブ化されるか、または（ｉｉ）前記電圧比が最大電圧比に達するかのいずれかの場合に、前記第１の電圧値を少なくとも１つの第２の電圧値に増大させるための制御信号を生成するための手段と、
前記電子デバイス内部の温度を示す信号を受信するための手段と、
前記温度が第１のしきい値温度を上回って増大するときに、前記第２の電圧値を少なくとも１つの第３の電圧値に低下させるための制御信号を生成するための手段と
を備える、電子デバイス。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
電気自動車のためのコントローラであって、前記コントローラが、
１つ以上の誘導巻線を有する前記電気自動車のモータと、
第１のハーフブリッジ整流器を有する第１の駆動回路と、
第２のハーフブリッジ整流器を有する第２の駆動回路と、
第３のハーフブリッジ整流器を有する第３の駆動回路と、
並列に配置された前記第１、第２及び第３の駆動回路の正の電力レール及び負の電力レールを含む同様の電力レールの各対に接続する第１の入力と、
前記第１の入力の間に接続された第１のＤＣエネルギソース又は車載バッテリと、
前記第１、第２及び第３の駆動回路を第１の状態から第２の状態へ再設定する制御信号を発行するように構成された制御モジュールと、
を備え、
１つ以上の前記誘導巻線が、前記第１、第２又は第３のハーフブリッジ整流器の１つの中点から前記第１、第２又は第３のハーフブリッジ整流器の他の１つの中点の間に接続されており、
前記第１の状態において、前記制御信号に応答して、前記第１、第２及び第３の駆動回路が、第１の期間において、前記電気自動車を推進する為に前記モータを駆動し、第２の期間において、前記車載バッテリを再充電する第１のＤＣ充電電流を発生する為に前記モータを駆動するように構成されており、
前記第１、第２及び第３の駆動回路は、前記第１の入力に接続され、前記制御信号に応答して負荷電流を受け取り、１つ以上の前記誘導巻線のうちの少なくとも１つを選択的に通電し、
再設定状態である前記第２の状態において、前記コントローラが、
第２の入力の間に接続され、前記車載バッテリを充電する第２のＤＣ外部エネルギソース又はＤＣ外部電源と、
前記第２の駆動回路の間に接続された前記第２の入力と、
前記第１の駆動回路及び前記第２の駆動回路の間に、正の電力レール及び負の電力レールの少なくとも一方に配置されたスイッチと、
前記第１の入力の間の第１のバルクキャパシタＣｂ及び前記第２の入力の間の第２のバルクキャパシタＣｒと、
を備え、
前記第２の状態において、前記スイッチは開状態であり、前記第２の駆動回路は、前記第１の入力から切り離され、前記制御モジュールは、前記車載バッテリを充電する為に、第２の電位Ｖ２の前記ＤＣ外部電源から第１の電位Ｖ１へ、降圧変換モード、昇圧変換モード又は昇降圧変換モードにおいて、少なくとも１つの誘導巻線を通して、前記第１、第２及び第３の駆動回路の少なくとも１つを動作させるように構成されるコントローラ。
【請求項２】
さらに、前記第２の入力の間に備えられたＡＣ入力回路を含み、
前記ＡＣ入力回路が、力率補正及びＡＣ外部電源に適した能動整流器を含む、請求項１に記載のコントローラ。
【請求項３】
前記第２のバルクキャパシタＣｒが、前記コントローラが前記第２の状態の時に、前記ＡＣ入力回路の出力又は前記ＤＣ外部電源のＤＣ電位をフィルタリングするように構成されている、請求項１に記載のコントローラ。
【請求項４】
前記第２のバルクキャパシタＣｒが、前記コントローラが前記第１の状態の時に、前記モータに印加する電位をフィルタリングするように構成されている、請求項３に記載のコントローラ。
【請求項５】
前記ＤＣ外部電源がＤＣ充電ステーションである、請求項１、３、４のいずれかに記載のコントローラ。
【請求項６】
前記モータが、３つ以上の位相誘導巻線を有し、
追加の位相誘導巻線のそれぞれに追加の駆動回路が含まれている、請求項１から５のいずれかに記載のコントローラ。
【請求項７】
前記コントローラが双方向であり、前記第２の状態において、前記ＤＣ外部電源又は前記ＡＣ外部電源が前記コントローラにより充電される、請求項１から６のいずれかに記載のコントローラ。
【請求項８】
スイッチングデバイスは、１つ以上のスイッチを含み、前記スイッチ又は各スイッチは、少なくとも２つの状態を有し、前記制御信号に応答して、前記スイッチ又は各スイッチの状態を選択的に切り換える、請求項１から７のいずれかに記載のコントローラ。
【請求項９】
前記スイッチは、前記制御モジュールからの前記制御信号に応答して、前記第２の入力に対して１つ以上の前記電力レールを選択的に接続及び切断し、及び前記第１の入力に対して前記電力レールのうちの少なくとも他の１つを接続又は切断する、請求項１から８のいずれかに記載のコントローラ。
【請求項１０】
前記第１、第２及び第３の駆動回路の前記第１、第２又は第３のハーフブリッジ整流器のそれぞれは、前記制御モジュールからの前記制御信号に応答して、前記誘導巻線のうちの少なくとも１つを選択的に通電するスイッチの各対を含む、請求項１から９のいずれかに記載のコントローラ。
【請求項１１】
前記駆動回路のうちの少なくとも１つは、前記誘導巻線の少なくとも１つを前記電力レールの少なくとも１つに選択的に接続する、請求項１から１０のいずれかに記載のコントローラ。
【請求項１２】
前記モータは、複数の相互接続された誘導巻線を有する、請求項１から１１のいずれかに記載のコントローラ。
【請求項１３】
誘導負荷は、３つの誘導巻線を有する前記モータである、請求項１から１２のいずれかに記載のコントローラ。
【請求項１４】
前記電気自動車が、前記ＡＣ外部電源とインタフェースする入力回路の間に備えられている第３の入力を含む、請求項２に記載のコントローラ。
【請求項１５】
前記ＡＣ外部電源が３相である、請求項２又は１４に記載のコントローラ。